(57)【要約】【課題】  メディアの種類、ファイルシステム、アプリケーションの関連性を少なくし、これらの一般的な関連付けが保持されていない記録フォーマットで記録されたデータであっても、当該メディアのファイルフォーマット及びアプリケーションフォーマットを特定して、データを再生することのできるディスク再生装置を提供する。【解決手段】  メディア識別手段と、ファイルフォーマット特定手段と、アプリケーションフォーマット特定手段と、は互いに独立して所定の処理を実行可能で、ファイルフォーマット特定手段によって特定されたファイルフォーマットと、アプリケーションフォーマット特定手段によって特定されたアプリケーションフォーマットに基づいて、装着されたディスク状記録媒体に記録されているデータを再生可能なアプリケーションソフトを選択し、実行させるようにした。【選択図】図３
2008033999.tif 000002
【特許請求の範囲】
【請求項１】
所定のフォーマットに従ってデータが記録されたＣＤ及びＤＶＤを含むディスク状記録媒体から前記データを読み出して再生可能なディスク再生装置であって、
装着されたディスク状記録媒体の種類を識別するメディア識別手段と、
前記ディスク状記録媒体に記録されているファイルシステムに関する情報に基づいて、ＩＳＯ９６６０フォーマット及び複数バージョンのユニバーサル・ディスク・フォーマットを含む複数のファイルフォーマットの中から前記ディスク状記録媒体のファイルフォーマットを特定するファイルフォーマット特定手段と、
前記ディスク状記録媒体に記録されているファイル構造に基づいてＤＶＤ−Ｖｉｄｅｏフォーマット、ＤＶＤ−Ａｕｄｉｏフォーマット、ＤＶＤ−ＶＲフォーマットを含む複数のアプリケーションフォーマットの中から前記ディスク状記録媒体のアプリケーションフォーマットを特定するアプリケーションフォーマット特定手段と、
前記複数のファイルフォーマット及び前記複数のアプリケーションフォーマットの組合せに従って記録されたデータを再生可能なアプリケーションソフトが格納された記憶媒体と、
前記複数のアプリケーションソフトの中から特定のアプリケーションソフトを実行させるアプリケーション実行手段と、
を備え、
前記メディア識別手段と、ファイルフォーマット特定手段と、アプリケーションフォーマット特定手段とは、互いに独立して所定の処理を実行可能で、
前記アプリケーション実行手段は、
前記メディア識別手段によりディスク状記録媒体の種類がＣＤ−ＤＡでないと判定された場合には、前記ファイルフォーマット特定手段によって特定されたファイルフォーマットと、前記アプリケーションフォーマット特定手段によって特定されたアプリケーションフォーマットとに基づいて、当該ディスク状記録媒体に記録されているデータを再生可能なアプリケーションソフトを選択し、実行させ、
前記メディア識別手段によりディスク状記録媒体の種類がＣＤ−ＤＡであると判定された場合には、ＣＤ−ＤＡ用のアプリケーションソフトを選択し、実行させることを特徴とするディスク再生装置。
【請求項２】
所定のフォーマットに従ってデータが記録されたディスク状記録媒体から前記データを読み出して再生可能なディスク再生装置であって、
装着されたディスク状記録媒体の種類を識別するメディア識別手段と、
前記ディスク状記録媒体のファイルシステムに関する情報からファイルフォーマットを特定するファイルフォーマット特定手段と、
前記ディスク状記録媒体に記録されているファイル構造から対応するアプリケーションフォーマットを特定するアプリケーションフォーマット特定手段と、
複数のアプリケーションソフトが格納された記憶媒体と、
前記複数のアプリケーションソフトの中から特定のアプリケーションソフトを実行させるアプリケーション実行手段と、
を備え、
前記メディア識別手段と、ファイルフォーマット特定手段と、アプリケーションフォーマット特定手段と、は互いに独立して所定の処理を実行可能で、
前記アプリケーション実行手段は、前記ファイルフォーマット特定手段によって特定されたファイルフォーマットと、前記アプリケーションフォーマット特定手段によって特定されたアプリケーションフォーマットに基づいて、当該ディスク状記録媒体に記録されているデータを再生可能なアプリケーションソフトを選択し、実行させることを特徴とするディスク再生装置。
【請求項３】
前記ファイルフォーマット特定手段は、ＩＳＯ９６６０フォーマット及び複数バージョンのユニバーサル・ディスク・フォーマットを含む複数のファイルフォーマットの中から前記ディスク状記録媒体のファイルフォーマットを特定し、
前記アプリケーションフォーマット特定手段は、ＤＶＤ−Ｖｉｄｅｏフォーマット、ＤＶＤ−Ａｕｄｉｏフォーマット、ＤＶＤ−ＶＲフォーマットを含む複数のファイルフォーマットの中から前記ディスク状記録媒体のアプリケーションフォーマットを特定することを特徴とする請求項２に記載のディスク再生装置。
【請求項４】
前記複数のアプリケーションソフトは、前記複数のファイルフォーマット及び前記複数のアプリケーションフォーマットの組合せに従って記録されたデータを再生可能であることを特徴とする請求項３に記載のディスク再生装置。
【請求項５】
前記ディスク状記録媒体の種類には、ＣＤ−ＤＡ（音楽ＣＤ）が含まれ、
前記アプリケーション実行手段は、前記メディア識別手段によりディスク状記録媒体の種類がＣＤ−ＤＡであると判定された場合には、ＣＤ−ＤＡ用のアプリケーションソフトを選択し、実行させることを特徴とする請求項２から４の何れかに記載のディスク再生装置。
【発明の詳細な説明】
【技術分野】
【０００１】
本発明は、ＣＤやＤＶＤ等のディスク状記録媒体に記録されている情報を再生可能なディスク再生装置に関する。
【背景技術】
【０００２】
近年、ＣＤ（Compact Disc）やＤＶＤ（Digital Versatile Disc）等、大容量のディスク状記録媒体が急速に発達しており、それぞれの記録媒体に記録されている情報を再生可能な光ディスク再生装置が提供されている。
【０００３】
また、ディスク状記録媒体とそのディスク再生装置（ＣＤドライブ、ＤＶＤドライブ）は多種多様であり、例えば記録媒体としてのＤＶＤは、再生専用（読み取り専用）のＤＶＤ−ＲＯＭ（Ｒead Only Memory）と、書き込みができるＤＶＤ−ＲＡＭ、ＤＶＤ−Ｒ／ＲＷ、ＤＶＤ＋Ｒ／ＲＷとに大別できる。
【０００４】
ところで、一般にＣＤやＤＶＤは、記録媒体毎にそれぞれ規格とフォーマットが決まっている。例えば、ＤＶＤ規格は、物理層（物理フォーマット）、ファイルシステム層（ファイルフォーマット）、アプリケーション層（アプリケーションフォーマット）の３つの階層で構成されている。物理フォーマットはメディアの物理的な形状や特性（ディスク状記録媒体の種類、例えばＤＶＤ−ＲＡＭ、ＤＶＤ−Ｒ／ＲＷ、ＤＶＤ＋Ｒ／ＲＷ）を規定し、ファイルフォーマットはＤＶＤに情報を記録する際に使用するファイルシステム（例えば、ＩＳＯ９６６０、ＵＤＦなど）を規定し、アプリケーションフォーマットは特定の使用用途を目的とした規定（使用するアプリケーション、例えばＤＶＤ−Ｖｉｄｅｏ、ＤＶＤ−Ａｕｄｉｏ、ＤＶＤ−ＶＲなど）を定めている。
【０００５】
ここで、ファイルシステムとはデータを記録したり管理したりする方式であり、ファイルシステムによって、ファイルを管理するデータ長やファイル名の文字数、セキュリティーやアクセス管理の方法などが異なる。特に、ビデオデータの保存など、取り扱うデータの大容量化に伴い、管理できる最大データ領域の容量や、１ファイルの容量制限について、ファイルシステムによって左右される。
【０００６】
また、使用されるファイルシステムは記録媒体の種類（物理フォーマット）や用途（アプリケーションフォーマット）によって異なる。例えば、ほとんどのＣＤ−ＲＯＭではＩＳＯ９６６０が採用されており、ＤＶＤではＩＳＯ９６６０＋ＵＤＦ（Universal Disk Format）１．０２の二重構造のファイルシステム（ＵＤＦブリッジ）等が採用されている。また、ＤＶＤに関連するＵＤＦの規格としては、アプリケーションフォーマットの一つであるＤＶＤ−Ｖｉｄｅｏで使用されるＵＤＦ１．０２やリアルタイム録画用のアプリケーションフォーマットであるＤＶＤ−ＶＲ（Video Recording）で使用されるＵＤＦ２．０などがある。
【０００７】
また、ＵＤＦは、大容量のファイルを取り扱うことが可能で、あらゆるコンピュータシステム間での動作を保証するため、青色レーザを利用した次世代光ディスクで使用されるファイルシステムとしても期待されている。例えば、Ｂｌｕ−ｒａｙ  Ｄｉｓｃ（商標）にはＵＤＦ２．５が採用され、ＨＤ  ＤＶＤにはＵＤＦ２．６が採用されている。
【０００８】
このように、従来は、記録媒体毎に、物理フォーマット、ファイルフォーマット、アプリケーションフォーマットがそれぞれ関連付けられており（図４参照）、これらのフォーマットに従ってデータが記録されていた。例えば、記録媒体がＤＶＤ−ＲＯＭやＤＶＤビデオの場合は、ＵＤＦブリッジに従ってＤＶＤ−Ｖｉｄｅｏのデータが記録されている。
【０００９】
そこで、ＤＶＤレコーダ等のディスク記録装置では、それぞれの記録媒体にデータを記録する際、自動的に或いはユーザによって所定の記録フォーマットが選択されるようになっている。
【００１０】
例えば、ＤＶＤ−Ｒにデータを記録する場合、自動的にファイルフォーマットはＵＤＦブリッジとされ、アプリケーションはＤＶＤ−Ｖｉｄｅｏとされる。また、ＤＶＤ−ＲＷにデータを記録する場合は、アプリケーションフォーマットとしてＤＶＤ−ＶｉｄｅｏとＤＶＤ−ＶＲがあるので、ユーザにより記録モード（アプリケーションフォーマット）を選択させ、選択された記録モードに基づいてファイルフォーマットが決定されることとなる。つまり、アプリケーションフォーマットとしてＤＶＤ−Ｖｉｄｅｏが選択された場合のファイルフォーマットはＵＤＦブリッジとされ、ＤＶＤ−ＶＲが選択された場合のファイルフォーマットはＵＤＦ２．００とされる。
【００１１】
なお、ＤＶＤ規格ではＤＶＤ−ＲにＤＶＤ−ＶＲのデータを記録しないという制限はないが、ＤＶＤ−ＶＲはリアルタイムで記録（録画）することを前提に、データの追記や編集に対応できるように規格化されたフォーマットであるため、データの追記や編集に柔軟に対応できない（ディスクの空き領域を有効に活用できない）ＤＶＤ−ＲにＤＶＤ−ＶＲモードで記録するのは望ましくない。そのため、一般的なディスク記録装置では、ＤＶＤ−ＲにＤＶＤ−ＶＲのデータを記録する仕様とはなっていない。
【００１２】
上述したように、ＤＶＤにはさまざまな記録フォーマット（ファイルフォーマット、アプリケーションフォーマット）があるので、それぞれの記録媒体に記録されているデータを再生するためには、それぞれの記録フォーマットに対応しているディスク再生装置が必要となる。最近では、１台で複数の記録フォーマットに対応したＤＶＤマルチドライブと呼ばれるディスク再生装置も提案されている。また、一般には、ＤＶＤだけでなく、ＣＤ−ＲＯＭ，ＣＤ−Ｒ／ＲＷも再生可能とされる。
【００１３】
また、記録媒体の種類、ファイルシステムとアプリケーションの関連性に関する技術としては、例えば特許文献１〜３がある。
【００１４】
【特許文献１】特開２００５−１７４２４１号公報
【特許文献２】特開２００４−１０２７０１号公報
【特許文献３】特開２００４−５３７０８９号公報
【発明の開示】
【発明が解決しようとする課題】
【００１５】
ところで、複数の記録フォーマットに対応したディスク再生装置では、装着された記録媒体を判別した後、当該記録媒体に使用されうるファイルフォーマットに基づいて、実際に用いられているファイルフォーマットを認識し、そのファイルフォーマットに基づいて使用されるアプリケーションを決定して、実行するという処理が行われる。
【００１６】
例えば、記録媒体のリードインエリアに記録されている物理フォーマットによりＤＶＤ−ＲＷであると判断されると、ＤＶＤ−ＲＷで使用されうるファイルフォーマットはＵＤＦブリッジ（ＩＳＯ９６６０＋ＵＤＦ１．０２）かＵＤＦ２．００の何れかとなる。その後、当該ＤＶＤ−ＲＷに記録されているファイルシステムの特定情報を読み出して、ファイルフォーマットがＵＤＦブリッジかＵＤＦ２．００かを判断する。そして、ファイルフォーマットがＵＤＦブリッジであればＤＶＤ−Ｖｉｄｅｏのアプリケーションを実行させ、ファイルフォーマットがＵＤＦ２．００であればＤＶＤ−ＶＲのアプリケーションを実行させる。
【００１７】
このような処理により自動的に使用可能なアプリケーションが決定され実行されるので、例えば、ＤＶＤ−ＲにＤＶＤ−ＶＲのデータが記録されている場合には、このデータを再生することはできず、再生できる記録媒体に対する柔軟性に乏しい。つまり、物理フォーマットがＤＶＤ−Ｒであると判断されると、ファイルフォーマットはＵＤＦブリッジであるべきで、このファイルフォーマットで使用されるアプリケーションはＤＶＤ−Ｖｉｄｅｏと自動的に決定される。そのため、ＤＶＤ−ＲにＵＤＦ２．００に従ってＤＶＤ−ＶＲのデータが記録されている場合は、ファイルフォーマットを正常に認識できないためにエラーとなってしまう。
【００１８】
しかしながら、コピーワンス放送を記録媒体に録画する場合には、リアルタイム録画に適したＤＶＤ−ＶＲモードで記録媒体に記録しなければいけないが、単純に番組を録画するだけならＤＶＤ−ＲＷよりも安価なＤＶＤ−Ｒに記録する方がユーザにとっては好ましいと考えられる。
【００１９】
また、最近では、パーソナルコンピュータを用いて、元の記録媒体のデータ配列をそっくりそのまま別の記録媒体に複製することも可能となっている（いわゆるビット・バイ・ビット転写）。そして、このビット・バイ・ビット転写により、例えば、ＤＶＤ−ＲＷに記録されたＤＶＤ−ＶＲのデータを、容易にＤＶＤ−Ｒに記録することも可能となる。例えば、個人的にＤＶカメラで撮影したデータをＤＶＤ−ＶＲモードでＤＶＤ−ＲＷに一旦記録し、ＤＶＤ−ＲＷ上のデータを編集した後、そのデータをＤＶＤ−Ｒに転写して配布することも考えられる。
【００２０】
しかしながら、従来のディスク再生装置では、上述したようにして作成されたＤＶＤ−Ｒであっても、このデータを再生することはできない。
【００２１】
また、従来のディスク再生装置では、図４に示すようなメディアの種類、ファイルシステム、アプリケーションの関連付けが保持されていない記録フォーマットで記録されたデータは再生できないようになっている。
【００２２】
そこで、本発明は、メディアの種類、ファイルシステム、アプリケーションの関連性を少なくし、これらの一般的な関連付けが保持されていない記録フォーマットで記録されたデータであっても、当該メディアのファイルフォーマット及びアプリケーションフォーマットを特定して、データを再生することのできるディスク再生装置を提供することを目的とする。
【課題を解決するための手段】
【００２３】
本発明は、上記目的を達成するためになされたもので、所定のフォーマットに従ってデータが記録されたディスク状記録媒体から前記データを読み出して再生可能なディスク再生装置であって、装着されたディスク状記録媒体の種類を識別するメディア識別手段と、前記ディスク状記録媒体のファイルシステムに関する情報からファイルフォーマットを特定するファイルフォーマット特定手段と、前記ディスク状記録媒体に記録されているファイル構造から対応するアプリケーションフォーマットを特定するアプリケーションフォーマット特定手段と、複数のアプリケーションソフトが格納された記憶媒体と、前記複数のアプリケーションソフトの中から特定のアプリケーションソフトを実行させるアプリケーション実行手段と、を備え、前記メディア識別手段と、ファイルフォーマット特定手段と、アプリケーションフォーマット特定手段と、は互いに独立して所定の処理を実行可能で、前記アプリケーション実行手段は、前記ファイルフォーマット特定手段によって特定されたファイルフォーマットと、前記アプリケーションフォーマット特定手段によって特定されたアプリケーションフォーマットに基づいて、当該ディスク状記録媒体に記録されているデータを再生可能なアプリケーションソフトを選択し、実行させることを特徴とする。
【００２４】
具体的には、前記ファイルフォーマット特定手段は、ＩＳＯ９６６０フォーマット及び複数バージョンのユニバーサル・ディスク・フォーマット（例えば、ＵＤＦ１．０２，ＵＤＦ１．５，ＵＤＦ２．００，ＵＤＦ２．５等）を含む複数のファイルフォーマットの中から前記ディスク状記録媒体のファイルフォーマットを特定し、前記アプリケーションフォーマット特定手段は、ＤＶＤ−Ｖｉｄｅｏフォーマット、ＤＶＤ−Ａｕｄｉｏフォーマット、ＤＶＤ−ＶＲフォーマットを含む複数のファイルフォーマットの中から前記ディスク状記録媒体のアプリケーションフォーマットを特定するようにした。
【００２５】
また、前記複数のアプリケーションソフトは、前記複数のファイルフォーマット及び前記複数のアプリケーションフォーマットの組合せに従って記録されたデータを再生可能であるようにした。このようなアプリケーションソフトを用意することで、さまざまな記録フォーマットのデータを再生させることができるようになる。
【００２６】
また、前記ディスク状記録媒体の種類には、ＣＤ−ＤＡ（音楽ＣＤ）が含まれ、前記アプリケーション実行手段は、前記メディア識別手段によりディスク状記録媒体の種類がＣＤ−ＤＡであると判定された場合には、ＣＤ−ＤＡ用のアプリケーションソフトを選択し、実行させるようにした。つまり、前記メディア識別手段によりディスク状記録媒体の種類がＣＤ−ＤＡであると判定された場合には、ファイルフォーマットの特定処理やアプリケーションフォーマットの特定処理を行わないようにした。すなわち、ＣＤ−ＤＡにはファイルシステムは組み込まれていないので、ファイルフォーマットの特定処理を省略することで、処理速度を向上できる。
【発明の効果】
【００２７】
本発明によれば、従来利用されているメディアの種類、ファイルフォーマット、アプリケーションフォーマットの一般的な関連付けが保持されていない記録フォーマットで記録されているデータでも再生することができる。
【００２８】
つまり、従来はメディアの種類により使用されるファイルフォーマットが限定され、また、ファイルフォーマットによりアプリケーションフォーマットは限定されるという具合に、メディアの種類とファイルフォーマットとアプリケーションフォーマットは関連付けられており、ディスク再生装置ではこの関連づけを保持していない記録フォーマットで記録されたデータを再生することはできなかったが、本発明に係るディスク再生装置ではこのような不具合を解消することができる。
【００２９】
例えば、ＤＶＤ−ＲにＤＶＤ−ＶＲフォーマットのデータ（ファイルフォーマットはＵＤＦ２．００）が記録されている場合でも、ＤＶＤ−ＶＲ対応の所定のアプリケーションを実行させることでデータを再生させることができるようになる。
【００３０】
また、将来的に、ユーザがメディアの種類、ファイルフォーマット、アプリケーションフォーマットを自由に、或いは現状の一般的な関連づけに注意することなく選択して、メディアにデータを記録できるようになった場合にも柔軟に対応することができる。また、本発明に係るディスク再生装置があれば、メディアにデータを記録する際にユーザは上記した一般的な関連づけに注意する必要はなくなるので、作業性が格段に向上する。
【００３１】
さらに、次世代光ディスク等の新しいメディア、ファイルフォーマット、アプリケーションフォーマットが開発された場合でも、ソフト的にそれらを認識可能とさせることで比較的容易に対応することができると考えられる。
【発明を実施するための最良の形態】
【００３２】
以下、本発明の実施の形態について図面を参照して説明する。図１は、本発明に係るディスク再生装置の一実施形態としてのＣＤ／ＤＶＤ再生装置のブロック図である。
本実施形態のＤＶＤレコーダ１００は、ＣＤ、ＤＶＤ等のディスク状記録媒体からデータを読み出すためのディスクドライブ１０と、ディスクドライブで取得したＲＦ信号を所定のディジタルデータに変換するディジタル信号処理部２０と、処理された圧縮データを伸張して復元するデコード部３０と、出力部４０と、記憶部５０と、制御部６０と、を備えて構成される。
【００３３】
ディスクドライブ１０は、スピンドルモータ１１と、光ピックアップ１２と、トラッキングモータ１３と、サーボシステム１４と、を有する。スピンドルモータ１１でＤＶＤ等のディスク状記録媒体Ｍを回転させ、トラッキングモータ１４により光ピックアップ１３を動作させ、この光ピックアップ１３により前記ディスク状記録媒体に記録されているデータを読み出す。具体的には、光ピックアップ１３は、ディスク状記録媒体Ｍに所定のレーザー光を照射し、反射してきた光を受光する。本実施形態では、ＣＤとＤＶＤに対応可能なピックアップ技術、例えば、２ピックアップ方式、２対物レンズ方式、２焦点レンズ方式等を採用している。なお、スピンドルモータ１１とトラッキングモータ１４は、サーボシステム１４により制御される。
【００３４】
ディジタル信号処理部２０は、ＲＦ信号処理部２１と、復調部２２と、エラー訂正部２３と、デマルチプレクサ２１と、を有する。ＲＦ信号処理部２１は、光ピックアップ１３により受光された反射光の波形信号（ＲＦ信号）をディジタルデータに変換する。復調部２２は、所定の変調方式（例えば、８／１６変調）で記録符号化されている前記ディジタルデータを元のデータに復調する。エラー訂正部２３は所定のエラー訂正方式（例えば、ＲＳ−ＰＣ（リードソロモン積符号）方式）により、復調したデータに対してエラー訂正を行う。デマルチプレクサ２４は、エラー訂正部２３で処理されたディジタルデータを、映像データ、字幕データ、音声データに分離する（ストリーム分離）。
【００３５】
デコード部３０は、ビデオデコーダ３１と、オーディオデコーダ３２と、を有する。ビデオデコーダ３１は、所定の方式（例えば、ＭＰＥＧ−２方式）で圧縮されている映像データを伸張して元の状態に復元する。オーディオデコーダ３２は、所定の方式（例えば、ドルビーＡＣ−３方式）で圧縮されている音声データを伸張して元の状態に復元する。
【００３６】
出力部４０は、ＮＴＳＣ／ＰＡＬエンコーダ４１と、Ｄ／Ａコンバータ４２，４３と、を有する。ＮＴＳＣ／ＰＡＬエンコーダ４１は、ビデオデコーダ３１で復元された映像信号（色差信号）をテレビ受像機で見ることができるように、ＮＴＳＣやＰＡＬといった方式にエンコードする。Ｄ／Ａコンバータ４２は、ＮＴＳＣ／ＰＡＬエンコーダ４１でエンコードされたディジタルデータをアナログ信号に変換して出力する。Ｄ／Ａコンバータ４３は、オーディオデコーダ３２で復元された音声信号（例えば、リニアＰＣＭ）をアナログ変換して出力する。
【００３７】
記憶部５０は、例えば、ディスク状記録媒体Ｍの種類や記録されているデータの記録フォーマットを特定するのに必要な情報や、複数の記録フォーマットで記録されているデータを再生可能なアプリケーションソフトを格納する。
【００３８】
制御部６０は、各ブロックの制御および所定の演算を行いＤＶＤ再生装置１００の動作を制御するＣＰＵと、ＣＰＵの作業用メモリとして用いられるＲＡＭと、ＣＰＵで実行される制御用プログラム等が記録されたＲＯＭと、を備える。
【００３９】
制御部６０は、例えば、装着されたディスク状記録媒体Ｍのリードインエリアに記録されている物理フォーマットに基づいて、当該ディスク状記録媒体Ｍの種類を識別する（メディア識別手段）。また、ディスク状記録媒体Ｍのファイルシステムに関する情報（例えば、タグ識別子）に基づいて記録されているデータのファイルフォーマットを特定する（ファイルフォーマット特定手段）とともに、ディスク状記録媒体Ｍに記録されているファイル構造から対応するアプリケーションフォーマットを特定する（アプリケーションフォーマット特定手段）。さらに、制御部６０は、特定されたファイルフォーマットと、アプリケーションフォーマットに基づいて、記憶部５０に格納されている複数のアプリケーションソフトの中から当該ディスク状記録媒体Ｍに記録されているデータを再生可能なアプリケーションソフトを選択し、実行させる（アプリケーション実行手段）。
【００４０】
図２は、本実施形態のＣＤ／ＤＶＤ再生装置において、再生可能なメディアの種類及び記録フォーマット（アプリケーションフォーマット及びファイルフォーマット）の一例を示す説明図である。
具体的には、本実施形態のＣＤ／ＤＶＤ再生装置では、ＣＤ−ＤＡ（音楽ＣＤ、ＣＤ−ＲＯＭ、ＣＤ−Ｒ／ＲＷ、ＤＶＤ−ＲＯＭ、ＤＶＤ−Ｒ／ＲＷ、ＤＶＤ＋Ｒ／ＲＷ、ＤＶＤ−ＲＡＭ等のディスク状記録媒体からデータを読み出すことができる。また、アプリケーションフォーマットとして、ＣＤオーディオ、ＰＣ用データ、ＣＤビデオ、ＤＶＤ−Ｖｉｄｅｏ、ＤＶＤ−Ａｕｄｉｏ、ＤＶＤ−ＶＲ等に対応し、ファイルフォーマットとして、ＩＳＯ９６６０、ＵＤＦブリッジ（ＩＳＯ９６６０＋ＵＤＦ１．０２）、ＵＤＦ２．０等に対応している。
【００４１】
図３は、本実施形態のＣＤ／ＤＶＤ再生装置において実行されるメディア再生処理を示すフローチャートである。
まず、ステップＳ１０１で、ディスク状記録媒体Ｍがディスクドライブに装着されているか判定する。そして、ディスク状記録媒体Ｍが装着されていると判定した場合は、装着されているディスク状記録媒体Ｍの種類を判別する。具体的には、装着されているディスク状記録媒体Ｍの物理特性（反射率等）やリードインエリアに記録されている物理フォーマットにより、ディスク状記録媒体Ｍの種類を判別する。例えば、対物レンズをディスクから遠ざける方向に移動させたときのフォーカスＳ字信号を用いる方法により、ＤＶＤとＣＤは容易に判別することができる。
【００４２】
次いで、ステップＳ１０２で、装着されたディスク状記録媒体ＭがＣＤ−ＤＡであると判定した場合は、ＣＤ−ＤＡ用のアプリケーション、すなわちＣＤ−Ａｕｄｉｏのアプリケーションを選択し（ステップＳ１０９）、このアプリケーションを実行させる（ステップＳ１０８）。すなわち、装着されたディスク状記録媒体ＭがＣＤ−ＤＡの場合は、ファイルシステムは組み込まれていないため、ファイルフォーマットを特定しなくても、実行させるアプリケーションを特定することができる。このように、ファイルフォーマットの特定処理を省略することで、処理速度を向上できる。
【００４３】
一方、ステップＳ１０２で、装着されたディスク状記録媒体ＭがＣＤ−ＤＡ以外であると判定した場合は、ディスク状記録媒体Ｍに記録されているファイル管理情報を解析する（ステップＳ１０３）。そして、ステップＳ１０４で、ファイル管理情報に含まれるファイルシステムに関する特有の情報（例えば、タグ識別子）に基づいて記録されているデータのファイルフォーマットを特定する（ファイルフォーマット特定手段）。ここで、ファイル管理情報（或いはその構造）はファイルシステム毎に異なるので、そのファイルシステムに特有の情報を利用することでファイルフォーマットを特定することは可能である
【００４４】
次いで、ディスク状記録媒体Ｍに記録されているファイル構造を解析する（ステップＳ１０５）。このとき、ステップＳ１０４でファイルフォーマットが特定されているので、このファイルフォーマットで記録されたデータを読み出し可能なファイルシステムを利用することで、ファイル構造を解析することができる。
【００４５】
そして、ステップＳ１０６で、解析したファイル構造に基づいて記録されているデータのアプリケーションフォーマットを特定する（アプリケーションフォーマット特定手段）。例えば、「ＶＩＤＥＯ＿ＴＳ」というフォルダがあり、そのフォルダの中にファイル群が保存されていれば、アプリケーションフォーマットはＤＶＤ−Ｖｉｄｅｏであると特定することができる。また、「ＡＵＤＩＯ＿ＴＳ」というフォルダの中にファイル群が保存されていれば、アプリケーションフォーマットはＤＶＤ−Ａｕｄｉｏであると特定することができる。
【００４６】
次いで、ステップＳ１０４で特定されたファイルフォーマットとステップＳ１０６で特定されたアプリケーションフォーマットを組み合わせた記録フォーマットのデータを再生可能なアプリケーションソフトを選択し（ステップＳ１０７）、このアプリケーションソフトを実行させる（ステップＳ１０８）。例えば、ファイルフォーマットがＵＤＦ２．０で、アプリケーションフォーマットがＤＶＤ−ＶＲであると特定された場合は、この記録フォーマット（従来のＤＶＤ−ＶＲモード）を再生可能なアプリケーションソフトが実行されることとなる。
【００４７】
このように、本実施形態のＣＤ／ＤＶＤ再生装置では、装着されたディスク状記録媒体Ｍの種類に関係なく、記録されているデータのファイルフォーマットとアプリケーションフォーマットを特定し、特定されたフォーマットで記録されたデータを再生可能なアプリケーションソフトを実行させるようにしている。
【００４８】
現状では、メディアの種類とファイルフォーマットとアプリケーションフォーマットの間には一般的な関連付け（図４参照）が存在し、ディスク再生装置ではこの関連づけを保持していない記録フォーマットで記録されたデータを再生することはできなかった。これに対して、本実施形態のＣＤ／ＤＶＤ再生装置では、従来利用されているメディアの種類、ファイルフォーマット、アプリケーションフォーマットの一般的な関連付けが保持されていない記録フォーマットでデータが記録されている場合でも、ディスク状記録媒体から記録フォーマット（ファイルフォーマット及びアプリケーションフォーマット）を特定して、再生することができる。
【００４９】
例えば、ＣＤ−ＲやＤＶＤ−ＲにＤＶＤ−ＶＲフォーマットのデータ（ファイルフォーマットはＵＤＦ２．００）が記録されている場合でも、ＤＶＤ−ＶＲ対応の所定のアプリケーションを実行させることでデータを再生させることができる。また、現状ではＤＶＤ−ＶＲ用のファイルフォーマットはＵＤＦ２．００であるが、ＤＶＤ−ＶＲに適した他のファイルフォーマットが開発された場合でも対応することができる。
【００５０】
また、将来的に、ユーザがメディアの種類、ファイルフォーマット、アプリケーションフォーマットを自由に、或いは現状の一般的な関連づけに注意することなく選択して、メディアにデータを記録できるようになった場合にも柔軟に対応することができる。さらに、本発明に係るディスク再生装置があれば、メディアにデータを記録する際にユーザは上記した一般的な関連づけに注意する必要はなくなるので、データを記録する際の作業性が格段に向上する。
【００５１】
以上、本発明者によってなされた発明を実施形態に基づいて具体的に説明したが、本発明は上記実施形態に限定されるものではなく、その要旨を逸脱しない範囲で変更可能である。
【００５２】
例えば、上記実施形態のＣＤ／ＤＶＤ再生装置で対応可能なメディアの種類、ファイルフォーマット、アプリケーションフォーマットは図２に示すものに限定されない。つまり、Ｂｌｕ−ｒａｙ  Ｄｉｓｋ（商標）やＨＤ  ＤＶＤ等の次世代光ディスク、ファイルフォーマット、アプリケーションフォーマットが開発された場合でも、ソフト的にそれらを認識可能とさせることで比較的容易に対応することができると考えられる。この場合、新たなファイルフォーマットやアプリケーションフォーマットで記録されたデータを再生可能なアプリケーションソフトが必要となるが、対応するアプリケーションフォーマットを記憶部５０に格納することで対応できる。
【図面の簡単な説明】
【００５３】
【図１】本発明の一実施形態に係るＤＶＤレコーダの構成を示すブロック図である。
【図２】本実施形態のＣＤ／ＤＶＤ再生装置で再生可能なメディアの種類、ファイルフォーマット、アプリケーションフォーマットの組合せを示す説明図である。
【図３】本実施形態のＣＤ／ＤＶＤ再生装置で実行されるメディア再生処理を示すフローチャートである。
【図４】現状のメディアの種類、ファイルフォーマット、アプリケーションフォーマットの一般的な関連づけを示す説明図である。
【符号の説明】
【００５４】
１０  ディスクドライブ
２０  ディジタル信号処理部
３０  デコード部
４０  出力部
５０  記憶部
６０  制御部
１００  ＣＤ／ＤＶＤ再生装置
Ｍ    ディスク状記録媒体
【図１】
2008033999.tif 000003
【図２】
2008033999.tif 000004
【図３】
2008033999.tif 000005
【図４】
2008033999.tif 000006